(57)【要約】      （修正有）【課題】傘を楽に持つことができ、柄を持つ手を雨水や太陽光から保護することができ、装飾効果もある傘の柄構造を提供する。【解決手段】柄１の上端に、丸みのあるこぶ状に盛り上がった係止部２を形成し、係止部の上端部に握り部用の装飾カバー体３を設け、柄を握った手を覆うように構成する。また、装飾カバー体に、ゴム製の連結部４を設け、係止部上端の細くなった部分に装飾カバー体を着脱自在に装着する。さらに、係止部の上端から係止部下方の柄まで覆う握り部装飾カバー５を設ける。柄の下部周囲に係止溝１Ａを設け、係止溝に巻き付けた連結紐６で握り部装飾カバーを固定する。【選択図】図３
0003187437.tif 000002
【実用新案登録請求の範囲】
【請求項１】
雨傘または日傘の柄において、柄の上部に、周囲に向けて丸みのあるこぶ状に盛り上がった係止部を形成すると共に、該係止部の上部に握り部用の装飾カバー体を設け、柄を握った手を装飾カバー体が覆うように構成したことを特徴とする傘の柄構造。
【請求項２】
前記装飾カバー体は、前記装飾カバー体に設けられたゴム製の連結部にて、前記係止部上端の細くなった部分に着脱自在に装着された請求項１記載の傘の柄構造。
【請求項３】
前記係止部の上端から係止部下方の柄まで覆う握り部装飾カバーを設け、前記柄の下部周囲に設けられた係止溝に巻き付ける連結紐にて握り部装飾カバーが固定された請求項１記載の傘の柄構造。
【考案の詳細な説明】
【技術分野】
【０００１】
本考案は、主に、非力な者でも持ち易く、柄を持つ手を雨水や太陽光から保護することができると共に、装飾効果も有する傘の柄構造に関するものである。
【背景技術】
【０００２】
傘を長時間さすとき、柄を握り続けることは健康な人でもかなり負担になる。特に、老人や女性、子供たちなど、握力の弱い者は、傘を長時間さす場合のほか、荷物を持ちながら傘をさす場合、あるいは強風や積雪時に傘をさす場合などでも大きな疲労を感じるものである。
【０００３】
そこで、傘を持ちやすくして腕の負担を軽減できる握りカバー付の柄が特許文献１に記載されている。この柄によると、柄を握ったときに、指先を挿入する環体状の握りカバーを柄に設け、この握りカバーを人差し指の付け根付近にて支えることで、楽に傘を保持できるというものである。
【０００４】
また、柄の先端部分寄りに手の厚みの曲線よりやや大きめの曲線をした突起物を内側に作ることで傘をさした時に柄が持ちやすくなるという傘が特許文献２に記載されている。
【先行技術文献】
【特許文献】
【０００５】
【特許文献１】実用新案登録第３０５９５０９号公報
【特許文献２】特開２０１３‐８５９４１号公報
【考案の概要】
【考案が解決しようとする課題】
【０００６】
ところが、特許文献１に記載の握りカバー付の柄では、柄に大掛かりな環体状の握りカバーが形成されるので、製造コストが高くなり、しかも、強風時に傘が飛ばされた際に、環体状の握りカバーに指が絡まって危険な場合も想定される。
【０００７】
また、特許文献２に記載の傘では、柄に突起物が形成されるので、突起物の先端が危険で、手指を傷付ける虞がある。また、突起物により柄の見栄えが悪くなり、装飾的にも好ましいものではなかった。
【０００８】
さらに、いずれの柄も、握る方向が一方向に規制されているので、強風で傘の向きが変わる場合など、手指に多くの負担がかかり危険な状態になる虞もあった。
【０００９】
一方、傘をさした場合に、握力の疲労に加え、柄を握る手に雨水が降りかかると、手の温度が低くなりさらに握力が低下する虞がある。また、日傘の場合は、柄を握る手が日に当たり、日傘の効果が得られない場合もある。このように、傘をさした場合に、柄を持つ手は、雨水や太陽光にさらされる虞があった。
【００１０】
そこで本考案は、上述の課題を解消すべく案出されたもので、環体状の握りカバーや危険な突起を形成しなくても傘を楽に持つことができ、しかも、柄を持つ手を雨水や太陽光から保護することができると共に、装飾効果も有する傘の柄構造の提供を目的とするものである。
【課題を解決するための手段】
【００１１】
上述の目的を達成すべく本考案における第１の手段は、雨傘または日傘の柄１において、柄１の上部に、周囲に向けて丸みのあるこぶ状に盛り上がった係止部２を形成すると共に、該係止部２の上部に握り部用の装飾カバー体３を設け、柄１を握った手を装飾カバー体３が覆うように構成したことにある。
【００１２】
第２の手段の前記装飾カバー体３は、前記装飾カバー体３に設けられたゴム製の連結部４にて、前記係止部２上端の細くなった部分に着脱自在に装着されたものである。
【００１３】
第３の手段は、前記係止部２の上端から係止部２下方の柄まで覆う握り部装飾カバー５を設け、前記柄１の下部周囲に設けられた係止溝１Ａに巻き付ける連結紐６にて握り部装飾カバー５が固定された請求項１記載の傘の柄構造。
【考案の効果】
【００１４】
請求項１のごとく、雨傘または日傘の柄１において、柄１の上端に、周囲に向けて丸みのあるこぶ状に盛り上がった係止部２を形成したことにより、この係止部２の下を握ると、傘の重みは、握り手の上に載り、この重みが手指と共に腕にまで伝わることになる。そうすると、傘の重みが腕に分散して手指で握る力を軽減することができる。
【００１５】
また、係止部２は、丸みのあるこぶ状を成しているので、係止部２の下を握るだけで、親指と人差し指とで丸いくぼみが形成され、このくぼみに係止部２が密接した状態になる。そのため、手指全体の握力を効率良く係止部２に加えることができる。また、傘の傾きや向きなどが変わっても、握った状態を維持することができる。
【００１６】
しかも、係止部２の上端部に握り部用の装飾カバー体３を設け、該装飾カバー体３にて柄１を握った手を覆うように構成したことにより、係止部２と一体化している手を、雨水や太陽光から保護することができるものである。
【００１７】
請求項２のように、装飾カバー体３は、前記係止部２上端の細くなった部分に、装飾カバー体３に設けられたゴム製の連結部４にて着脱自在に装着されたものであるから、柄１を握った手を雨水や太陽光から保護すると共に、こぶ状の係止部２を隠して柄１自体を装飾する効果もある。
【００１８】
さらに、装飾カバー体３は、ゴム製の連結部４にて着脱自在に装着されるので、着脱が自由に行える。この結果、好みの装飾カバー体３を選択して係止部２に装着することも可能であり、特に、女性が傘を使用する場合、この装飾カバー体３によるお洒落を味わうこともできる。
【００１９】
請求項３のごとく、係止部２の上端から係止部２下方の柄まで覆う握り部装飾カバー５を設け、前記柄１の下部周囲に設けられた係止溝１Ａに巻き付ける連結紐６にて握り部装飾カバー５が固定されているので、係止部２のみならず、柄１の握り部まで握り部装飾カバー５にて装飾することができる。しかも、この握り部装飾カバー５は、滑り止めとしての効果も奏する。
【図面の簡単な説明】
【００２０】
【図１】本考案の使用状態を示す一部切欠斜視図である。
【図２】本考案の一実施例であり、（イ）は係止部を示し、（ロ）は装飾カバー体の装着例を示す側面図である。
【図３】本考案の他の実施例であり、（イ）は柄を示し、（ロ）は握り部装飾カバーの装着例を示す側面図である。
【考案を実施するための形態】
【００２１】
このように本考案によると、大掛かりな環体状の握りカバーや危険な突起を形成しなくても傘を楽に持つことができ、しかも、柄を持つ手を雨水や太陽光から保護することができ、装飾効果も有するという独自の効果を奏するものである。
【００２２】
以下、本考案の実施例を説明する。本考案は、雨傘または日傘に設けられた柄１の構造に関するもので、主な構成は係止部２と装飾カバー体３とを備えたものである。
【００２３】
係止部２は、柄１の上端に、柄１の芯から周囲に向けて丸みのあるこぶ状に盛り上がった部位で、この係止部２に、柄１を握った手指を係止させるものである。図示の係止部２は、手指に触れる部位に沿ってなだらかな曲線を形成している。こうすることで、柄１を握った手指と係止部２とをより一体化することができる。
【００２４】
装飾カバー体３は、係止部２の上端部に設ける部材で、柄１の握り部を握った手を覆うように構成している。図示の係止部２は、手指の全体を覆っているが、一部を覆うように設けることも可能である。装飾カバー体３の材質は、防水布やレース、あるいは合成樹脂など、任意の材質を選択することができる。
【００２５】
この装飾カバー体３は、係止部２上端の細くなった部分に着脱自在に装着される。装飾カバー体３を装着する手段は、装飾カバー体３に設けられたゴム製の連結部４を使用しているが、ゴム製以外の連結部４にて装着することも可能である。
【００２６】
柄１には、更に、係止部２の上端から係止部２下方の柄１まで覆う握り部装飾カバー５が設けられている。この握り部装飾カバー５は、柄１の下部周囲に設けられた係止溝１Ａに巻き付ける連結紐６にて固定されるもので、柄１や係止部２の装飾と共に、滑り止めとしての作用も有する。この場合、この握り部装飾カバー５を握った手指を装飾カバー体３が覆うものである。
【００２７】
尚、本考案の構成は図示例に限定されるものでなく、柄１や係止部２、装飾カバー体３や連結部４、握り部装飾カバー５の形状などは任意に変更することができるものである。
【符号の説明】
【００２８】
１  柄
１Ａ  係止溝
２  係止部
３  装飾カバー体
４  連結部
５  握り部装飾カバー
６  連結紐
【図１】
0003187437.tif 000003
【図２】
0003187437.tif 000004
【図３】
0003187437.tif 000005